(57)【要約】【課題】  住宅団地における安全性および防犯性を確保するにあたり、現時点での防犯設備および将来必要に応じて新たに増設する防犯設備に対しても設置コストおよび維持管理コストを抑えて、容易かつ柔軟に防犯設備を設置することができるようにするとともに、周囲の景観にも配慮した住宅団地のゲート構造を提供する。【解決手段】  本発明のゲート構造は、住宅団地１の入口道路２を挟む両側にそれぞれ確保した互いに同規模の民地に、断面形状が入口道路２を挟んで左右対称形となるように道路面よりも高い造成地３を設ける。そして、それぞれの造成地３の上部または上方に、照明装置４１と入口道路２周辺を監視しうる防犯カメラ４２とを含む防犯設備を設ける。また、歩道２１にはタグ読取装置４３を配設する。【選択図】  図３
2005293503.tif 000002
【特許請求の範囲】
【請求項１】
住宅団地の入口道路を挟む両側にそれぞれ確保された互いに同規模の民地に、断面形状が入口道路を挟んで左右対称形となるように道路面よりも高い造成地が設けられ、それぞれの造成地の上部または上方に、照明装置と入口道路周辺を監視しうる防犯カメラとを含む防犯設備が備えられたことを特徴とする住宅団地のゲート構造。
【請求項２】
住宅団地の入口道路を挟む両側にそれぞれ確保された互いに同規模の民地に、断面形状が入口道路を挟んで左右対称形となるように道路面よりも高い造成地が設けられ、それぞれの造成地の法肩近傍または法面に、照明装置と入口道路周辺を監視しうる防犯カメラとを含む防犯設備が設置されたことを特徴とする住宅団地のゲート構造。
【請求項３】
住宅団地の入口道路を挟む両側にそれぞれ確保された互いに同規模の民地に、断面形状が入口道路を挟んで左右対称形となるように道路面よりも高い造成地が設けられ、それぞれの造成地の上部に入口道路の上方に張り出す構築物を設けて、この構築物に照明装置と入口道路周辺を監視しうる防犯カメラとを含む防犯設備が装備されたことを特徴とする住宅団地のゲート構造。
【請求項４】
入口道路の両脇には、歩行者用カメラまたは歩行者の携行品に付属した非接触型ＩＣタグを読み取るタグ読取装置、その他歩行者の通行状況を把握しうる防犯設備が設けられたことを特徴とする請求項１〜３のいずれかに記載の住宅団地のゲート構造。
【請求項５】
請求項１〜４のいずれかに記載の住宅団地のゲート構造において、設置される防犯設備は、熱感知式または音感知式のセンサによって作動することを特徴とする住宅団地のゲート構造。
【請求項６】
入口道路の歩道部分と造成地の法面との間に植栽がなされていることを特徴とする請求項１〜５のいずれかに記載の住宅団地のゲート構造。
【請求項７】
造成地に隣接する位置、または造成地の内部に駐車スペースが設けられたことを特徴とする請求項１〜６のいずれかに記載の住宅団地のゲート構造。
【発明の詳細な説明】
【技術分野】
【０００１】
本発明は、住宅団地のゲート構造に関する。
【背景技術】
【０００２】
従来から、住宅地において住民に対する犯罪や事故を防止するには、既設の電柱や街灯などの高所に監視カメラを取り付けて記録・監視するのが一般的である。例えば、特許文献１には、街灯やポール、標識柱等の既存の工作物に、監視用カメラやスピーカ、無線送受信装置、緊急呼出ボタン等の防犯設備を実装し、この防犯設備を通信ネットワークを介して監視・制御したり、防災情報の送受信を行ったりするように構成された安全監視システムが提案されている。
【０００３】
また、例えば特許文献２には、建物近傍に立設した柱に、建物の玄関を監視する監視カメラや照明装置、スピーカ等を設置した防犯用柱が提案されている。このような防犯用柱の存在によって、住宅への不法な侵入を防止するとともに、緊急時の迅速な通報を可能にすることが図られている。
【特許文献１】特開２０００−２６８２８１号公報
【特許文献２】特開２００２−２３０６５５号公報
【発明の開示】
【発明が解決しようとする課題】
【０００４】
しかしながら、上記したような既設の電柱等に監視カメラ等の防犯設備を設ける例は、高所作業車や専門の作業技術者も必要となるので作業コストがかかり、電力会社への手続きや電柱使用料が必要になるとともに、作業車の駐車スペースを確保するために道路を管理する行政への道路使用許可申請等の煩雑な手続きが必要となって、速やかに設置できないことが多い。また、設置した防犯設備の維持管理の際にも、これらの手間や作業コストがかかることになるため、このような設備の維持管理が行き届かず、十分に活用されにくいといった現状がある。
【０００５】
また、前記従来の例によれば、電柱等の既設構造物のある場所にしか監視カメラ等の防犯設備を設置できないので、電柱等の傍らに樹木が伸びていたり、建物があったりすると見通しを確保することができず、必要な場所に有効に取り付けることが難しい。また、実際には、防犯設備がそのまま電柱等に取り付けられているだけの構造であり、意匠性に乏しいので、周囲の雰囲気に調和せず、景観を損なう一因となってしまう。
【０００６】
加えて、防犯対策を強化するために新たな設備を設置することになった場合、設置場所として前記した電柱や街灯を利用する以外には、新しくポールやモニュメント等の高さのある柱状物を建造しなければならなくなる。しかし、このような柱状物を新たに建造するには多額の費用と時間がかかってしまうので良策ではなく、現実的には不可能である。
【０００７】
そこで本発明は、上記のような問題点にかんがみてなされたものであり、住宅団地における安全性および防犯性を確保するにあたり、初期段階での防犯設備および将来必要に応じて新たに増設する防犯設備の両方における設置コストおよび維持管理コストを抑えて、十分な防犯設備を容易かつ柔軟に設置することができるようにするとともに、周囲の景観にも配慮することのできる住宅団地のゲート構造を提供するものである。
【課題を解決するための手段】
【０００８】
上記した目的を達成するため、本発明に係る住宅団地のゲート構造は、住宅団地の入口道路を挟む両側にそれぞれ確保された互いに同規模の民地に、断面形状が入口道路を挟んで左右対称形となるように道路面よりも高い造成地が設けられ、それぞれの造成地の上部または上方に、照明装置と入口道路周辺を監視しうる防犯カメラとを含む防犯設備が備えられたことを特徴とする。
【０００９】
すなわち、本発明では、住宅団地における安全および犯罪抑止効果を確保するために最も重要な箇所となるゲート部分において前記造成地を設け、各種の防犯設備を充実させるとともに、造成地の存在によって新たな防犯設備の設置を許容しうることを主眼に構成されている。
【００１０】
通常、住宅団地のゲート部分は、圧迫感を出さないようにするために高さを抑えるようにする傾向がある。また、ゲート部分に造成地が設けられている場合でも、道路を挟んで左右非対称の断面形状で造成されており、あえて左右対称形に造成された例はない。しかし、本発明に係るゲート構造では、入口道路の両側に造成地を左右対称形の美しい形に造成して景観に配慮するとともに、造成地の高さが揃い、互いに向き合う形となるので、設置される防犯設備における機器精度も容易に確保することができる。
【００１１】
また、本発明に係る住宅団地のゲート構造において、照明装置と入口道路周辺を監視しうる防犯カメラとを含む防犯設備は、入口道路周辺の見通しを考慮して、それぞれの造成地の法肩近傍または法面に設置されても、また、造成地の上部に入口道路の上方に張り出す構築物を設けて、この構築物に装備されてもよい。
【００１２】
さらに、本発明は、上記住宅団地のゲート構造において、入口道路の両脇に、歩行者用カメラまたは歩行者の携行品に付属した非接触型ＩＣタグを読み取るタグ読取装置、その他歩行者の通行状況を把握しうる防犯設備が設けられたことを特徴とする。このように歩行者の通行状況を把握することで、万一の事件や事故にも迅速に対応することができ、住民の安全や安心を確保することができる。
【００１３】
また、本発明の住宅団地のゲート構造においては、設置される防犯設備が、熱感知式または音感知式のセンサによって、または適宜のデータネットワークシステムによって作動するように構成されることが好ましい。
【００１４】
また、本発明の住宅団地のゲート構造は、入口道路の歩道部分と造成地の法面との間に植栽を設けることで、入口道路における造成地の圧迫感を緩和するように構成されている。
【００１５】
さらに、本発明では、造成地に隣接する位置、または造成地の内部に駐車スペースを設けることで、高所にある防犯設備の維持管理を行う際の作業車両の駐車スペースを確保し、道路使用許可等の煩雑な手続きを不要として、その作業コストを低減させることができる。また、造成地により見えにくくなっているこの駐車スペースに、警察と連動するなどしてパトカー等を待機させ、防犯カメラの映像を車内からモニターで確認して、即時に不審車両を追跡することにも利用できる。
【発明の効果】
【００１６】
上述のように構成される本発明の住宅団地のゲート構造によれば、道路面よりも高い造成地が住宅団地の入口道路を挟む両側の互いに同規模の民地に設けられ、これらの造成地の断面形状が入口道路を挟んで左右対称形とされることで、景観に配慮し、防犯設備の設置コストおよび維持管理コストを低減させることができる。さらに防犯設備を設置したり、維持管理を行ったりする際には、制約の少ない民地に造成地が設けられているので、煩雑な手続きを要することなく比較的容易に設置することができる。
【００１７】
また、将来想定される防犯設備の拡充・増設に際しては、住宅団地の造成段階から、かかる造成地を確保しているので、新しいポールやモニュメント等を建造する必要がなく、造成地を利用して柔軟に対応することができ、防犯設備を迅速に設置することが可能になる。
【発明を実施するための最良の形態】
【００１８】
以下、本発明に係る住宅団地のゲート構造を実施するための最良の形態について図面を参照しつつ説明する。図１は、本発明に係るゲート構造を備えて形成された住宅団地の一例を示す配置図である。
【００１９】
本発明のゲート構造が適用される住宅団地は、造成から住宅建築づくりまで一貫した総合的な計画によって形成され、例えば丘陵地や山間部等を切り開いて宅地造成がなされている。
【００２０】
本発明のゲート構造は、図１に示す住宅団地１において、入口道路２を挟む両側にそれぞれ確保された、互いにほぼ同規模の民地に設けられている。入口道路２は、近隣の幹線道路等へ接続するように設けられており、車両は入口道路２を通って住宅団地１内へ侵入する。入口道路２両側の民地は、断面形状が入口道路２を挟んで左右対称形で、道路面よりも高くなるように造成されている。そして、これらの造成地３の上部あるいは上方、または造成地の法面などに、入口道路の周辺を監視しうる防犯カメラと、照明装置とを含む防犯設備が備えられる構成である。
【実施例１】
【００２１】
図２〜図４は本発明のゲート構造の実施例１を示し、図２はゲート構造を示す平面図、図３は図２のＸ−Ｘ線断面図、図４はゲート構造の具体例を示す説明図である。例示の形態の入口道路２には、車道部分の両側に歩道２１が設けられて歩者分離が図られている
この入口道路２を挟む両側には、互いにほぼ同規模の民地がそれぞれ確保され、断面形状が入口道路２を挟んで左右対称形となる、道路面よりも高い造成地３が設けられている。造成地３は、高さＡが２〜３ｍ程度であり、宅地造成時に盛土または切土を行うことによって形成されている。それぞれの造成地３の法面と歩道２１との間には、植栽５がなされており、歩行者への圧迫感を緩和し、美観を高める配慮がなされている。
【００２２】
これらの造成地３には、上部が入口道路２の上方に張り出した柱状の構築物３１が立設されている。この構築物３１の柱部分には、夜間でも入口道路２の歩道付近を視認できる程度以上の照度を備えた照明装置４１が備えられている。また、構築物３１の張り出し部分には、入口道路２の周辺を監視しうる防犯カメラ４２が装備されている。この防犯カメラ４２は、インターネット等の適宜のネットワークシステムを経由して遠隔から映像監視やカメラ操作等が可能なネットワークカメラが好ましく、入口道路２を通行する車両ナンバーを読み取るナンバー読取装置等であってもよい。また、かかる防犯設備は、適宜の熱感知式または音感知式のセンサによって作動するようになっていてもよい。
【００２３】
このように照明装置４１と防犯カメラ４２とを含む防犯設備が構築物３１に設けられることによって、入口道路２の周辺において、適当な高さ位置からの見通しが補完されている。
【００２４】
構築物３１に装備された防犯設備の取り替えや修理等の維持管理を行う場合、入口道路２付近において作業車両の駐車スペースが必要になる。そこで、例示の形態では、造成地３に隣接する位置に駐車スペース６が設けられている。これにより、維持管理に伴う道路使用許可等の行政への手続きが不要になるので、構築物３１に装備された防犯設備の維持管理がしやすく、作業コストも抑えることができる。この駐車スペース６は、作業車両の駐車に利用するほか、例えば住宅団地１内に不審車両が頻繁に出入りしている場合などには、パトカーや地域のパトロール車等を待機させるために利用することができ、不審車両が入口道路２を通過したときに、その車両を即座に追跡することが可能になる。
【００２５】
さらに、実施例１のゲート構造においては、入口道路２の歩道２１にタグ読取装置４３が配設されている。タグ読取装置４３は、住宅団地１内の住民にそれぞれ固有のＩＤ情報を記録した非接触型のＩＣタグを読み取ることができるようになっている。このＩＣタグは、例えば住民各自の靴に装着されており、住民が歩道２１を通過する際には、タグ読取装置４３が作動して、靴に装着されたＩＣタグのＩＤ情報を読み取り、歩行者と通行時刻等の通行状況データが収集されるシステムとなっている。
【００２６】
ＩＣタグは、靴のほか、カードやストラップに埋め込んで常時携帯したり、バッグ等にぶら下げたりして、住民が外出時に容易に携行できるようになっていることが好ましい。これらの場合には、歩道２１の脇に設けられた小人用タグ読取装置４４および大人用タグ読取装置４５により、通行状況データが収集される。
【００２７】
これらのタグ読取装置４３〜４５には、適宜のデータネットワークシステムが接続されている。したがって、例えば、タグ読取装置４３〜４５によって収集された通行状況データは、例えば団地外に設置された保安センターの中央サーバ等に送信されて記録されるとともに、該サーバにあらかじめ登録されている連絡先メールアドレス等に通知されて、歩行者の通行状況が把握される仕組みとなっている。かかるタグ読取装置４３〜４５は、歩道２１を通過する通行者が誰であるかを認識しうる適宜の通行者用カメラに換えてもよい。
【００２８】
その他、例示のゲート構造では、住宅団地１内へ誘導するようにデザインされた塀３２が造成地３の上部に道路形状に沿って設けられ、塀３２の側面にはスポットライト等の照明装置４４も備えられている。また、この塀３２の背面側などの目立たない位置には、各種防犯設備４１〜４４に電力を供給する電源装置３３が設けられている。さらに、本発明のゲート構造は、上記した防犯設備４１〜４４を備えるほか、万一事故や犯罪が発生した場合に備えて適宜の音センサーや防犯ブザー、非常連絡装置等の防犯設備が設置されてもよい。
【実施例２】
【００２９】
図５は本発明の実施例２を示す断面図である。この形態に係るゲート構造は、実施例１と造成地の形状が異なり、この造成地に付随する部分に特徴を有する。そこで、実施例１と同様の構成となる部分については同符号を用いて詳細な説明を省略する。
【００３０】
住宅団地１の入口道路２を挟む両側の造成地３は、断面形状が入口道路を挟んで左右対称形となるように切土または盛土を行って形成され、その高さＢは実施例１よりも高い５ｍ程度で形成されている。この造成地３にも、入口道路２へ張り出すように構築物３１が立設されている。構築物３１は、造成地３がかかる高さで形成されているので、構築物３１の高さを１〜２ｍ程度に低く抑えても、入口道路２の周辺を十分に見通しうるものとなる。このため、構築物３１に装備される防犯設備４１，４２を取り替えたり修理したりする際には、造成地３上から直接行うことができるので、作業車両を用意する必要がなく、維持管理コストを低減させることができる。
【００３１】
実施例２のゲート構造では、造成地３の内部に駐車スペース６が設けられている。この駐車スペース６は、断面が箱形のボックスカルバート型の車庫となっており、入口道路２に接続するように形成されている。
【００３２】
また、このように造成地３の高さＢを高く形成した場合には、構築物３１を造成地３の上部に設けて防犯設備を設置するだけでなく、造成地３の法肩近傍や法面の上部に防犯設備を直接突設するように設置してもよい。さらに将来、各種の防犯設備を増設することを想定して、あらかじめ造成地３の法面に防犯設備を格納するために設備ピット３４を設けておいてもよい。いずれにせよ、かかる造成地３を住宅団地１の宅地造成時に形成しておくことで、現時点での防犯設備の設置が容易になり、維持管理コストが抑えられるだけでなく、将来必要が生じた際の防犯設備の拡充、交換や修理にあたっても、防犯設備を設けるための新規構築物が不要となって、多額の費用と時間をかけることなく容易に防犯性を高めることができる。
【産業上の利用可能性】
【００３３】
本発明は、住宅団地等の住区における住民の安全性や防犯性を高めるのに利用することができる。
【図面の簡単な説明】
【００３４】
【図１】本発明に係るゲート構造を備えて形成された住宅団地の一例を示す配置図である。
【図２】本発明の実施例１に係るゲート構造の配置図である。
【図３】図２のＸ−Ｘ線断面図である。
【図４】本発明の実施例１に係るゲート構造の詳細説明図である。
【図５】本発明の実施例２を示す断面図である。
【符号の説明】
【００３５】
住宅団地    １
入口道路    ２
歩道        ２１
造成地      ３
構築物      ３１
照明装置    ４１
防犯カメラ  ４２
タグ読取装置    ４３
植栽        ５
駐車スペース    ６
【図１】
2005293503.tif 000003
【図２】
2005293503.tif 000004
【図３】
2005293503.tif 000005
【図４】
2005293503.tif 000006
【図５】
2005293503.tif 000007